(57)【要約】  支持構造体（１）内に密閉された断熱容器を組み立てる方法であって、組み立て方法は、    ロード／アンロードタワー（１７）を設置するステップと、    液体ドーム用の閉鎖ブロック（２０）を供給するステップと、    ロード／アンロードタワー（１７）のパイプ（１８）に沿ってスライドさせることにより、容器を貯蔵するための空間に、保持コンポーネント（２２、２３）上の貯蔵空間に静止している、閉鎖ブロック（２０）を挿入するステップと、    液体ドーム（７）の開口部を塞ぐ支持構造体（１）上に支持構造体インサート（２４）を取り付けるステップと、    閉鎖ブロック（２０）をパイプ（１８）に沿って支持構造体インサート（２４）に向かってスライドさせるステップと、    閉鎖ブロック（２０）を支持構造体インサート（２４）に固定するステップと、を含む。【選択図】図５
2021529132.tif 000002
【特許請求の範囲】
【請求項１】
支持構造体（１）内に密閉された断熱タンクを組み立てる方法であって、前記支持構造体（１）は、内部空間を区切る複数の壁（２、３、４、５、６）を有し、開口部（１１）を有する前記支持構造体（１）の上壁（４）を含み、前記組み立て方法は、
前記開口部（１１）を介して前記内部空間にロード／オフロードタワー（１７）を設置するステップであって、前記ロード／オフロードタワー（１７）は、それぞれが前記内部空間から突出する上端（１９）を有する複数のパイプ（１８）を有し、前記ロード／オフロードタワー（１７）は、少なくとも１つの保持部材（２２、２３）を有する、設置するステップと、
タンク壁部分を有する閉鎖ブロック（２０）を提供するステップであって、前記閉鎖ブロック（２０）は、オリフィス（２１）を有する、提供するステップと、
前記パイプ（１８）の前記上端（１９）を前記閉鎖ブロック（２０）内の前記対応するオリフィス（１２）に挿入するステップと、
前記閉鎖ブロック（２０）が前記内部空間内の前記保持部材（２２、２３）に接するまで、前記閉鎖ブロック（２０）を前記パイプ（１８）に沿ってスライドさせるステップと、
貫通オリフィス（２５）を有する支持構造体インサート（２４）を提供するステップと、
前記支持構造体インサート（２４）は、前記支持構造体（１）の前記上壁（４）の前記開口部（１１）を塞ぎ、前記ロード／オフロードタワー（１７）の前記パイプ（１８）の端部（１９）が、前記支持構造体インサート（２４）の前記貫通オリフィス（２５）を貫通するように前記支持構造体インサート（２４）を前記支持構造体に取り付けるステップと、
前記閉鎖ブロック（２０）を前記パイプ（１８）に沿って前記支持構造体インサート（２４）の方向にスライドさせるステップと、
前記閉鎖ブロック（２０）を前記支持構造体インサート（２４）に固定するステップと、を含む、組み立て方法。
【請求項２】
前記支持構造体インサート（２４）は、前記閉鎖ブロック（２０）の外面（２７）に面する内面（２６）を有し、前記方法はまた、前記閉鎖ブロック（２０）の前記外面（２７）と前記支持構造体インサート（２４）の前記内面（２６）との間に修正ストリップ（２８）を挿入するステップを含み、前記修正ストリップ（２８）は、前記支持構造体（１）の前記内部空間に平面支持面を形成し、前記閉鎖ブロック（２０）の前記外面（２７）は、前記平面支持面に固定されている、請求項１に記載の組み立て方法。
【請求項３】
前記支持構造体インサート（２４）の前記内面（２６）の平面性を測定するステップと、
前記支持構造体インサート（２４）の前記内面（２６）の平面性の測定値に応じて、前記支持構造体（２４）の反対側にある前記修正ストリップ（２８）の内面が、１つの同じ平面（２９）に配置されて前記平面支持面を一緒に形成するように前記修正ストリップ（２８）の厚さを寸法決定するステップと、をまた含む、請求項２に記載の組み立て方法。
【請求項４】
前記修正ストリップ（２８）は樹脂のビード（３０）を有し、前記樹脂のビード（３０）は前記支持構造体インサート（２４）の前記内面（２６）に固定されている、請求項２と３のいずれかに記載の組み立て方法。
【請求項５】
前記修正ストリップ（２８）はバテン（３４）を有し、それぞれの樹脂のビード（３０）は各バテン（３４）に固定されている、請求項４に記載の組み立て方法。
【請求項６】
前記バテン（３４）は、前記平面支持面を形成するように、前記支持構造体インサート（２４）の前記内面（２６）の平面性の測定値に応じて寸法決定される厚さを有し、前記バテン（３４）は、前記閉鎖ブロック（２０）の前記外面（２７）に固定されている、請求項５に記載の組み立て方法。
【請求項７】
前記樹脂のビード（３０）が均一な厚さを有する、請求項６に記載の組み立て方法。
【請求項８】
前記閉鎖ブロック（２０）を前記支持構造体インサート（２４）の方向にスライドさせる前に、前記修正ストリップ（２８）を前記閉鎖ブロック（２０）の前記外面（２７）に固定し、次に、前記閉鎖ブロック（２０）を前記支持構造体インサート（２４）に固定するために、前記支持構造体インサート（２４）の前記内面（２６）に前記修正ストリップ（２８）を固定することも含む、請求項５から７のいずれか一項に記載の組み立て方法。
【請求項９】
前記樹脂のビード（３０）を前記バテン（３４）の前記外面に当てるステップも含み、前記バテン（３４）の前記外面が前記支持構造体インサート（２４）の反対側にある、請求項８に記載の組み立て方法。
【請求項１０】
前記閉鎖ブロック（２０）が前記支持構造体インサート（２４）の方向にスライドされる前に、前記樹脂のビード（３０）を前記支持構造体インサート（２４）の前記内面（２６）に当てるステップも含む、請求項４から７のいずれか一項に記載の組み立て方法。
【請求項１１】
前記支持構造体インサート（２４）の前記内面（２６）に基準ストリップ（３２）を設置するステップも含み、前記基準ストリップ（３２）は、前記支持構造体インサート（２４）とは反対側に内面を有し、１つの同じ平面に配置され、前記修正ストリップ（２８）は、前記平面に支持面を形成するように寸法決定されている、請求項４から１０に記載の組み立て方法。
【請求項１２】
前記支持構造体インサート（２４）と前記閉鎖ブロック（２０）との間にタイロッド（３５）を設置するステップも含み、前記タイロッド（３５）は、前記支持構造体インサート（２４）の方向に前記閉鎖ブロック（２０）をスライドするように作動される、請求項１から１１のいずれか一項に記載の組み立て方法。
【発明の詳細な説明】
【技術分野】
【０００１】
本発明は、密閉された断熱膜型タンクの分野に関する。詳細には、本発明は、液化石油ガス（ＬＰＧとしても知られる）を例えば−５０℃〜０℃の間の温度で輸送するため、または液化天然ガス（ＬＮＧ）を大気圧で約−１６２℃で輸送するためのタンクなど、液化ガスを低温で貯蔵および／または輸送するための密閉された断熱タンクの分野に関する。これらのタンクは、陸上または浮体式構造物に設置できる。浮体式構造物の場合、タンクは、液化ガスを輸送すること、または浮体式構造物の推進のための燃料として使用される液化ガスを保持することを目的とすることができる。
【０００２】
一実施形態では、液化ガスはＬＮＧ、すなわち大気圧で約−１６２℃の温度で貯蔵された高いメタン含有量を有する混合物である。他の液化ガス、具体的にはエタン、プロパン、ブタンまたはエチレンも想定され得る。液化ガスは、圧力下、たとえば２〜２０バールの相対圧力、具体的には約２バールの相対圧力で貯蔵することもできる。タンクは、特に一体型膜型タンクまたは自立型タンクの形態で、さまざまな技術によって製造することができる。
【背景技術】
【０００３】
文書ＦＲ２７８５０３４は、船の二重船殻に設置される液化天然ガスを貯蔵するための密閉された断熱タンクを開示する。
【０００４】
密閉された断熱タンクは、船の内部船体に接する二次断熱バリアで連続的に構成された多層構造の壁、二次断熱バリアに接する二次シーリング膜、二次シーリング膜に接する一次断熱バリア、およびタンク内に含有される液化ガスと接触することを目的とした一次シーリング膜を有する壁を有する。
【０００５】
タンクには、輸送前に貨物をタンクに積み込み、輸送後に貨物を積み出すためのロード／オフロードタワーが装備されている。
【０００６】
このようなタンクの組み立て中に、二次および一次断熱バリアならびに二次および一次シーリング膜が船の二重船殻に取り付けられ、そこに固定される。続いて、第２のステップで、ロード／オフロードタワーがタンク内に取り付けられ、船の二重船殻に固定される。
【０００７】
ただし、タンクの貯蔵空間に含有される液体をタンクから注ぎ出すことができるようにするために、ロード／オフロードタワーのパイプはタンク壁と二重船殻を通過する必要がある。この目的のために、二重船殻の上壁には、タンクにロード／オフロードタワーを取り付けるために空けられた開口部がある。同様に、二重船殻の上壁に固定された上部タンク壁は、前述の開口部に沿って通路を有する。上部タンク壁のこの通路も、ロード／オフロードタワーを取り付けるために空けておかれる。このように、タンク内へのロード／オフロードタワーの設置中、ロード／オフロードタワーのパイプは、端部が上部タンク壁の通路と二重船殻の開口部を連続して通過するように配置されている。
【０００８】
ロード／オフロードタワーの設置に続いてタンクの組み立てを完了するために、二重船殻の開口部を塞ぐために、開口部の二重船殻に船体インサートが取り付けられる。この船体インサートには、ロード／オフロードタワーのパイプを通すためのオリフィスが設けられている。次に、複数のタンク壁部分が船体インサートに取り付けられて、パイプを囲み、上部タンク壁が断熱され、密閉されたままであることを確実にする。
【０００９】
このようなタンクを組み立てる方法は、特に時間がかかり複雑であるため、完全に満足のいくものではない。
【発明の概要】
【００１０】
本発明の根底にあるアイデアは、組み立て時間を短縮することを可能にする、密閉された断熱タンクを組み立てるための方法を提案することである。
【００１１】
一実施形態によれば、本発明は、支持構造体内に密閉された断熱タンクを組み立てるための方法を提供し、前記支持構造体は、内部空間を区切る複数の壁を有し、開口部を有する前記支持構造体の上壁を含み、前記組み立て方法は、
前記開口部を介して前記内部空間に、ロード／オフロードタワーを設置するステップであって、前記ロード／オフロードタワーは、それぞれが前記内部空間から突出する上端を有する複数のパイプを有し、前記ロード／オフロードタワーは、少なくとも１つの保持部材を有する、設置するステップと、
タンク壁部分を有する閉鎖ブロックを提供するステップであって、前記閉鎖ブロックはオリフィスを有する、提供するステップと、
前記パイプの前記上端を前記閉鎖ブロック内の前記対応するオリフィスに挿入するステップと、
前記閉鎖ブロックが前記内部空間内の前記保持部材に接するまで、前記閉鎖ブロックを前記パイプに沿ってスライドさせるステップと、
貫通オリフィスを有する支持構造体インサートを提供するステップと、
前記支持構造体インサートは前記支持構造体の前記上壁の前記開口部を塞ぎ、前記ロード／オフロードタワーの前記パイプの端部が前記支持構造体インサートの前記貫通オリフィスを貫通するように、前記支持構造体インサートを前記支持構造体に取り付けるステップと、
前記閉鎖ブロックを前記パイプに沿って前記支持構造体インサートの方向にスライドさせるステップと、
前記閉鎖ブロックを前記支持構造体インサートに固定するステップと、を含む。
【００１２】
したがって、このような組み立て方法は、閉鎖ブロックを事前に組み立ててから、タンクの貯蔵空間に直接一体に挿入することができるので、組み立て時間を大幅に短縮することを可能にする。
【００１３】
さらに、閉鎖ブロックおよび突出部材内の貫通オリフィスの存在は、支持構造体インサートが支持構造体に取り付けられている間、前述の閉鎖ブロックを貯蔵空間内の所定の位置に維持することを可能にする。したがって、支持構造体インサートが支持構造体に取り付けられているときに固定するために、パイプに沿って支持構造体インサートの方向にスライドさせることによって、閉鎖ブロックを簡単に一体に引き上げることができる。したがって、このような取り付け方法は、迅速かつ簡単に実施できる。
【００１４】
実施形態によれば、そのような組み立て方法は、以下の特徴のうちの１つ以上を含み得る。
【００１５】
一実施形態によれば、この方法はまた、タンク内の流体の貯蔵空間を区切るように、支持構造体の対応する壁に複数のタンク壁を固定するステップを含み、前述のタンク壁の１つは、支持構造体の上壁上に固定された上部タンク壁であり、前述の上部タンク壁は、支持構造体の上壁の開口部に沿って通路を有し、前述の通路は、貯蔵空間を支持構造体の外部空間と連絡させる。
【００１６】
一実施形態によれば、パイプは、タンクの貯蔵空間内に延在する。
【００１７】
一実施形態によれば、パイプの上端は、支持構造体の内部空間から、上部タンク壁の通路および支持構造体の上壁の開口部を通って連続的に突出している。
【００１８】
一実施形態によれば、前述のパイプの少なくとも１つは、保持部材を有し、前述の保持部材は、前述のパイプからタンクの貯蔵空間に突出している。
【００１９】
一実施形態によれば、この方法はまた、上部タンク壁と閉鎖ブロックによって形成されたタンク壁部分との間でタンクを密閉するステップを含む。
【００２０】
一実施形態によれば、各タンク壁は、断熱バリアおよびシーリング膜を有し、シーリング膜は、タンクの貯蔵空間に貯蔵された流体と接触し、前述の断熱バリアに接することを目的とする。
【００２１】
一実施形態によれば、閉鎖ブロックのタンク壁部分は、断熱バリア部分とシーリング膜部分とを有する。
【００２２】
一実施形態によれば、この方法は、ロード／オフロードタワーのパイプを支持構造体インサートに溶接するステップも含む。
【００２３】
一実施形態によれば、この方法はまた、ロード／オフロードタワーのパイプを閉鎖ブロックに溶接するステップを含む。
【００２４】
一実施形態によれば、ロード／オフロードタワーのいくつかのパイプまたは各パイプは、タンクの貯蔵空間に突出する突出部分を有する。したがって、閉鎖ブロックはいくつかの突出部分上で静止する。
【００２５】
一実施形態によれば、突出部材は、ロード／オフロードタワーの２つのパイプを一緒に連結する。典型的には、そのような突出部材は、ロード／オフロードタワーの鉄筋であり得る。
【００２６】
一実施形態によれば、支持構造体インサートは、閉鎖ブロックの外面に面する内面を有し、この方法は、閉鎖ブロックの外面と支持構造体インサートの内面との間に修正ストリップを挿入するステップも含む。前述の修正ストリップは、支持構造体の内部空間に平面支持面を形成し、閉鎖ブロックの外面は、前述の平面支持面に固定されている。
【００２７】
一実施形態によれば、閉鎖ブロックおよび突出部材は、前述の閉鎖ブロックが突出部材の貯蔵空間で静止しているときに、閉鎖ブロックの外面が支持構造体インサートの内面から１．５ｍ以上の距離だけ離れるように構成される。
【００２８】
そのような修正ストリップにより、支持構造体インサートの平面性の欠陥を補うことができるようになり、したがって、支持構造体インサートへの閉鎖ブロックの安定した確実な固定を可能にする平面支持面を与える。
【００２９】
一実施形態によれば、閉鎖ブロックの壁部分は、閉鎖ブロックの外面を形成するエンドパネルを有し、修正ストリップは、前述のエンドパネルにステープルで留められる。
【００３０】
一実施形態によれば、エンドパネルは合板パネルである。
【００３１】
一実施形態によれば、この方法はまた、支持構造体インサートの内面上の修正ストリップの位置をマーキングすることを含む。
【００３２】
一実施形態によれば、この方法はまた、
支持構造体インサートの内面の平面性を測定するステップと、
支持構造体インサートの内面の平面性の測定値に応じて、支持構造体の反対側にある前述の修正ストリップの内面が１つの同じ平面に配置されて一緒に平面支持面を形成するように、修正ストリップの厚さを寸法決定するステップと、を含む。
【００３３】
一実施形態によれば、修正ストリップは樹脂のビードを有し、樹脂のビードは支持構造体インサートの内面に固定されている。
【００３４】
一実施形態によれば、樹脂のビードはマスチックでできている。
【００３５】
一実施形態によれば、閉鎖ブロックを支持構造体インサートに固定するステップは、樹脂のビードを押しつぶすステップを含む。
【００３６】
一実施形態によれば、樹脂のビードは、閉鎖ブロックが支持構造体インサートに固定されている間に、圧縮によって変形される。
【００３７】
一実施形態によれば、樹脂のビードは、押しつぶしステップから生じる押しつぶされた状態で、平面支持面を一緒に形成する。
【００３８】
一実施形態によれば、樹脂のビードは、支持構造体インサートの内面の平面性の測定値に応じて寸法決定された厚さを有する。
【００３９】
一実施形態によれば、樹脂のビードは、平面支持面を形成するように寸法決定される。
【００４０】
一実施形態によれば、樹脂のビードは、支持構造体インサートの方向に前述の閉鎖ブロックをスライドさせるステップの前に、閉鎖ブロック、典型的には閉鎖ブロックの外面に固定される。
【００４１】
一実施形態によれば、修正ストリップはバテンを有し、樹脂のそれぞれのビードが各バテンに固定されている。
【００４２】
一実施形態によれば、バテンは合板バテンである。
【００４３】
一実施形態によれば、バテンは、平面支持面を形成するように支持構造体インサートの内面の平面性の測定値に応じて寸法決定される厚さを有し、前述のバテンは、閉鎖ブロックの外面に固定される。
【００４４】
これらの特徴により、支持構造体インサートの平面性欠陥はバテンによって補われ、それにより、支持構造体インサートの平面性欠陥を埋めるために異なるサイズの樹脂のビードを提供する必要がない。
【００４５】
一実施形態によれば、樹脂のビードは均一な厚さを有する。
【００４６】
均一な厚さを有するそのような樹脂のビードは、迅速かつ容易に製造される。したがって、樹脂のビードを次々に製造し、バテン上に直接配置することができ、したがって、前述の樹脂のビードは、迅速かつ容易に製造される。さらに、均一な厚さのそのような樹脂のビードは、間違ったバテン上に所与の厚さの樹脂のビードを配置することに関連付けられたエラーを回避する。
【００４７】
したがって、前述の樹脂のビードの連続生産は、樹脂のビードのセットの設置時間を制限し、したがって、最初の樹脂のビードの設置と最後の樹脂のビードの設置との間に必要な時間を制限し、それによって、最初の樹脂のビードが、閉鎖ブロックと支持構造体インサートとの間に押しつぶされることなく設置される期間を制限する。したがって、バテンに設置された最初の樹脂のビードが最終位置にいることなく乾燥の対象になる時間が短縮される。
【００４８】
一実施形態によれば、この方法はまた、修正ストリップを閉鎖ブロックの外面に固定することを含む。
【００４９】
一実施形態によれば、この方法はまた、閉鎖ブロックを支持構造体インサートの方向にスライドさせる前に、修正ストリップを閉鎖ブロックの外面に固定し、次に閉鎖ブロックを支持構造体インサートに固定するため支持構造体インサートの内面に修正ストリップを固定することを含む。
【００５０】
一実施形態によれば、この方法はまた、樹脂のビードを、外面が支持構造体インサートの反対側にあるバテンの外面に当てるステップを含む。
【００５１】
一実施形態によれば、バテンは、閉鎖ブロックの外面にステープルで留められる。
【００５２】
一実施形態によれば、バテンを閉鎖ブロックの外面に固定するためのステープルは、２００ｍｍの間隔である。
【００５３】
一実施形態によれば、この方法はまた、閉鎖ブロックが支持構造体インサートの方向にスライドされる前に、樹脂のビードを支持構造体インサートの内面に当てるステップを含む。
【００５４】
一実施形態によれば、修正ストリップは、組み立て前の段階で支持構造体インサートの内面に固定され、その結果、組み立て方法は、支持構造体インサートを提供するステップの前に、修正ストリップを支持構造体インサートに固定するステップを含む。
【００５５】
一実施形態によれば、閉鎖ブロックを支持構造体インサートに固定するステップは、閉鎖ブロックを支持構造体インサートの方向にスライドさせるステップの後に、修正ストリップを前述の閉鎖ブロックの外面に固定するステップを含む。
【００５６】
一実施形態によれば、この方法は、支持構造体インサートの内面に基準ストリップを取り付けるステップも含み、前述の基準ストリップは、支持構造体インサートとは反対側に内面を有し、１つの同じ平面に配置され、修正ストリップが支持面を形成するように寸法決定されている。
【００５７】
言い換えれば、基準ストリップは、基準面を規定するように寸法決定され、修正ストリップは、閉鎖ブロックが前述の基準面の修正ストリップに押し付けられるように、前述の基準面に支持面を形成するように寸法決定される。
【００５８】
一実施形態によれば、基準ストリップは、基準パターンで支持構造体インサート上に配置される。
【００５９】
一実施形態によれば、修正ストリップは、固定パターンで支持構造体インサート上に配置される。
【００６０】
一実施形態によれば、固定パターンおよび基準パターンは、基準ストリップおよび修正ストリップが支持構造体インサートの異なる部分に配置されるように構成される。
【００６１】
一実施形態によれば、この方法は、支持構造体インサートと閉鎖ブロックとの間にタイロッドを設置するステップも含み、前述のタイロッドは、支持構造体インサートの方向に閉鎖ブロックをスライドさせるように作動される。
【００６２】
一実施形態によれば、閉鎖ブロックおよび支持構造体インサートは、タイロッドが貫通する貫通通路を有する。
【００６３】
一実施形態によれば、かしめナットは、タイロッドの第１の端部に取り付けられ、タイロッドの前述の第１の端部は、支持構造体インサートを貫通する。
【００６４】
一実施形態によれば、ナットはタイロッドの第２の端部にねじ込まれ、前述の第２の端部は閉鎖ブロックを貫通する。
【００６５】
一実施形態によれば、タイロッドは、樹脂のビードの乾燥期間、閉鎖ブロックを所定の位置に保持する。
【００６６】
このようなタンクは、例えばＬＮＧを貯蔵するための陸上貯蔵施設、または浮体式の沿岸または沖合構造物、具体的にはメタン運搬船、浮体式貯蔵再ガス化設備（ＦＳＲＵ）、浮体式生産貯蔵積出設備（ＦＰＳＯ）などで組み立てることができる。このようなタンクは、あらゆるタイプの船の燃料リザーバとしても機能し得る。
【図面の簡単な説明】
【００６７】
本発明はよりよく理解され、そのさらなる目的、詳細、特徴および利点は、添付の図面を参照して、非限定的な例示としてのみ与えられる本発明のいくつかの特定の実施形態の以下の説明からより明確に明らかになるであろう。
【００６８】
【図１】密閉された断熱タンクの壁を受けることを目的とした支持構造体の部分的な概略図である。
【図２】タンクの壁の多層構造の概略図である。
【図３】ロード／オフロードタワーを示し、その内部に取り付けられている支持構造体を部分的に示す概略図である。
【図４】船体インサートがまだ液体ドームに取り付けられていない、液体ドームおよびロード／オフロードタワーでの組み立ての過程での密閉された断熱タンクの長手方向断面の部分概略図である。
【図５】閉鎖ブロックがまだ船体インサートに固定されていない、液体ドームおよびロード／オフロードタワーでの組み立ての過程での密閉された断熱タンクの長手方向断面の部分概略図である。
【図６】液体ドームおよびロード／オフロードタワーで組み立てられた密閉された断熱タンクの長手方向断面の部分概略図である。
【図７】船体インサートと閉鎖ブロックとの間の平面性の違いを示している、図５の部分的な概略詳細図である。
【図８】本発明の第１の実施形態を示す図７と同様の概略詳細図である。
【図９】本発明の第１の実施形態による、船体インサートに固定された閉鎖ブロックの部分概略図である。
【図１０】本発明の第２の実施形態による図８と同様の部分概略図である。
【図１１】本発明の第３の実施形態による図８と同様の部分概略図である。
【図１２】閉鎖ブロックの持ち上げ手段を示す、密閉された断熱タンクの長手方向断面の部分概略図である。
【図１３】メタン運搬船のタンクと、このタンクからの積み込み／積み出し用のターミナルの断面概略図である。
【発明を実施するための形態】
【００６９】
図１を参照すると、密閉された断熱タンクの壁を受けることを目的とした支持構造体１の後部を見ることができる。支持構造体１は、船の二重船殻で形成されている。支持構造体１は、全体的に多面体形状である。支持構造体１は、この場合、八角形である前壁２および後壁３を有する。図１では、支持構造体１の内部空間を見ることができるようにするために、前壁２が部分的にのみ示されている。前壁２および後壁３は、船の仮締切壁であり、船の長手方向に対して横方向に延在する。支持構造体１はまた、上壁４、下壁５および側壁６を有する。上壁４、下壁５および側壁６は、船の長手方向に延在し、前壁２と後壁３を連結している。
【００７０】
支持構造体１の後壁３の近くに、上壁４は、液体ドーム７として知られる、上向きに突出する長方形の平行六面体形状の空間を有する。液体ドーム７は、前部横壁８および後部横壁９によって、ならびに垂直に延在して上方に突出する２つの側壁１０によって画定される。液体ドーム７は、以下に説明するように、支持構造体に取り付けられたタンクとの間で液体を移送するためのパイプの通過のために、上壁４に開口部１１を区切る。
【００７１】
タンクは多層構造の膜式タンクである。したがって、図２に概略的に示すように、タンクの各壁は、壁の厚さの方向に、外側から内側に連続して、支持構造体１に対して接する断熱要素を有する二次断熱バリア１２、二次断熱バリア１２の断熱要素に固定された二次シーリング膜１３、二次シーリング膜１３に対して接する断熱要素を有する一次断熱バリア１４、および一次断熱バリア１４の断熱要素に固定され、タンクに含有される流体と接触することを目的としてする一次シーリング膜１５を有する。タンクのこの多層構造は、支持構造体１の壁２、３、４、５、６のそれぞれに配置されている。この多層構造は、液体ドーム７の壁８、９、１０にも存在し、したがって、液体ドーム７の開口部１１に沿ってタンク壁の通路１６を区切る。
【００７２】
例として、タンクの各壁は、具体的には、例えばＦＲ２６９１５２０に記載されているようなマークＩＩＩタイプ、例えばＦＲ２８７７６３８に記載されているようなＮＯ９６タイプ、または例えばＷＯ１４０５７２２１に記載されているようなマークＶタイプであり得る。
【００７３】
支持構造体１でのタンクの組み立て中、タンクの各壁は、タンクの外側から内側に向かって、支持構造体１のそれぞれの壁に固定される。すなわち、
二次断熱バリア１２の断熱要素を支持構造体１のそれぞれの壁に固定する。
二次シーリング膜１３を二次断熱バリア１２の断熱要素に固定する。
一次断熱バリア１４の断熱要素を、二次断熱バリア１２の断熱要素上、または二次シーリング膜１３を介して支持構造体１上に固定する。その後、
一次シーリング膜１５を一次断熱バリア１４の断熱要素に固定する。
【００７４】
タンク壁の支持構造体１への固定は、液体ドーム７の開口部１１に沿って通路１６を形成するように行われる。したがって、通路１６および開口部１１は、タンク内にロード／オフロードタワー１７を設置することを可能にするために空けておかれる。図３に示されるそのようなロード／オフロードタワー１７は、特に貨物をタンクに積み込み、および／または貨物をタンクから積み出すことを可能にする。
【００７５】
ロード／オフロードタワー１７は、３つの垂直マスト１８からなる三脚構造を有する。これらの垂直マスト１８は、タンクの貯蔵空間の実質的に全高にわたって延在する。ロード／オフロードタワー１７の全高にわたって分散されたクロス部材２３は、ロード／オフロードタワー１７の剛性および完全性を確保するために、マスト１８を一緒に連結する。
【００７６】
ロード／オフロードタワー１７のベースは、支持構造体１の下壁５に固定され、ロード／オフロードタワー１７を垂直位置に維持することを目的とする支持脚と協働する。そのような支持脚は、例えば、特許出願ＦＲ３０３５４７５およびＷＯ２０１１１５７９１５に記載されている。
【００７７】
垂直マスト１８の上端１９は、液体ドーム７の通路１６および開口部１１を通って支持構造体１から突出している。前述の上端１９のうちの１つ以上は、ＬＮＧ移送システムに連結されることを目的とする。
【００７８】
垂直マスト１８はそれぞれ中空であり、したがって、流体をタンクに積み込むか、またはタンクから積み出すためのパイプ、あるいは、他のオフロードポンプが故障した場合に、緊急ポンプとオフロードラインを下げるための緊急シャフトのいずれかを形成する。図３に示す実施形態では、マスト１８のうちの２つは、タンクから積み出しするためのオフロードラインを形成し、この目的のために、それぞれ、ロード／オフロードタワー１７の下端に固定されたオフロードポンプに関連付けられている。一方で、第３のマスト１８は、緊急シャフトを形成する。
【００７９】
図４から図６は、液体ドーム７を閉じるプロセス中のタンクのさまざまな組み立て状態を示している。具体的には、タンクの断熱および密閉機能を維持するために、マスト１８の上端１９を貫通させながら、タンク壁の通路１６を塞ぐ必要がある。この目的のために、図３に示すように、通路１６のための閉鎖ブロック２０を備える。
【００８０】
閉鎖ブロック２０は、断熱バリア部分とシーリング膜部分とを有する。閉鎖ブロック２０の断熱バリア部分は、例えば合板で作られた２枚の剛性シートの間に挿入された、例えばポリウレタンフォームで作られた断熱ライニングを有し得る。例えば、閉鎖ブロックの断熱バリア部分は、タンクの壁の断熱バリア１２、１４のうちの１つの構成断熱要素の構造と同様の構造を有する。同様に、閉鎖ブロックのシーリング膜部分は、タンク壁のシーリング膜１３、１５の構造と同様の構造を有し得る。
【００８１】
閉鎖ブロック２０は、通路１６の寸法に相補的な寸法を有する。さらに、閉鎖ブロック２０は、貫通オリフィス２１を有する。これらの貫通オリフィス２１は、ロード／オフロードタワー１７のマスト１８の外形に相補的な形状を有する。これらの貫通オリフィス２１は、通路１６内のマスト１８の位置に対応する位置で、閉鎖ブロック２０内に配置されている。
【００８２】
図３に示すように、閉鎖ブロック２０は、ロード／オフロードタワー１７のマスト１８を閉鎖ブロック２０の対応する貫通オリフィス２１に挿入し、次に閉鎖ブロック２０をロード／オフロードタワー１７に沿ってスライドさせることによって、タンクの貯蔵空間に挿入される。
【００８３】
マスト１８は、保持部材２２を有する。このような保持部材２２は、マスト１８の外面からタンクの貯蔵空間に突出している。閉鎖ブロック２０は、保持部材２２に圧力をかけるようになるまでマスト１８に沿ってスライドされる。これらの保持部材２２は、液体ドーム７を閉じる他の操作の間、閉鎖ブロック２０を所定の位置に維持することを可能にする。
【００８４】
図示されていない実施形態では、保持部材２２は、マスト１８を一緒に連結するクロス部材２３によって形成されている。より具体的には、閉鎖ブロック２０は、支持構造体１の上壁４に最も近く位置するクロス部材２３に圧力をかけるタンクベアリングの貯蔵空間内で静止する。したがって、現在のタンクで使用されるようなロード／オフロードタワー１７は、本明細書に記載の組み立て方法を実施するために変更する必要はない。
【００８５】
閉鎖ブロック２０が保持部材２２に圧力をかける貯蔵空間ベアリング内にあるとすぐに、支持構造体１の上壁４の開口部１１を塞ぐことができる。この目的のために、船体インサート２４は、液体ドーム７の壁８、９、１０上に移動され、この船体インサート２４は、液体ドーム７のカバーを形成する。したがって、船体インサート２４は、液体ドーム７の壁８、９、１０の上端で静止することができるように、開口部１１の寸法よりも大きい寸法を有する。船体インサート２４は、例えば、支持構造体１の上壁４と同様の構造および材料を用いて、多くの方法で作製することができる。船体インサート２４は、好ましくは、例えば溶接によって、液体ドーム７の前述の壁８、９、１０に固定される。
【００８６】
閉鎖ブロック２０と同様の方法で、船体インサート２４は、マスト１８の上端１９が貫通するためのオリフィス２５を有する。したがって、船体インサート２４は、マスト１８の端部１９を船体インサート２４の対応するオリフィス２５に挿入することによって、液体ドームの壁８、９、１０に取り付けられる。マスト１８のこれらの端部１９は、例えば溶接によって、船体インサート２４に固定されている。言い換えれば、マスト１８は、船体インサート２４から吊り下げることができる。
【００８７】
船体インサート２４は、タンク上部壁の断熱および密閉を完了することによってタンクの組み立てを終了するために、閉鎖ブロック２０のための固定構造を構成する。船体インサート２４が設置され、液体ドーム７の開口部１１を塞ぐとき、閉鎖ブロック２０は、船体インサート２４に向けて引き上げることができる。閉鎖ブロック２０は、マスト１８に沿って船体インサート２４の方向に一体にスライドされる。次に、船体インサート２４に面する閉鎖ブロック２０の外面２７が、前述の船体インサート２４の内面２６に固定される。タンクの密閉を完了するために、マスト１８は、例えば溶接によって、密閉された方法で、閉鎖ブロック２０のシーリング膜部分に固定される。同様に、閉鎖ブロック２０のシーリング膜部分は、液体ドーム７の壁８、９、１０に固定されたタンク壁のシーリング膜に密閉された方法で溶接される。
【００８８】
図４から図６を参照して上記の液体ドームにタンクを組み立てる方法は、迅速かつ簡単に実施できる。これは、閉鎖ブロック２０をプレハブ式に作り、タンクの貯蔵空間に一体で挿入することができるためである。同様に、この一体閉鎖ブロック２０は、船体インサート２４に向けて容易に引き上げられ、固定することができ、マスト１８は、保持部材２２によってそれを貯蔵空間内の所定の位置に保持し、閉鎖ブロック２０をスライドすることによってそれを案内することを可能にする。
【００８９】
しかしながら、閉鎖ブロック２０が固定されている船体インサート２４の内面２６は、平面性の欠陥を有する可能性がある。図６から図１１では、このような平面性の欠陥は、図と以下の説明を研究しやすくするために、意図的に誇張して示されている。
【００９０】
図６に示すように、閉鎖ブロック２０が船体インサート２４に向けて引き上げられるとき、船体インサート２４の内面２６の平面性欠陥により、閉鎖ブロック２０の外面２７に平面固定面を提供できるようにはならない。そのような平面固定面は、閉鎖ブロック２０の外面２７との良好な協調を可能にし、したがって、閉鎖ブロック２０を船体インサート２４上／への安定かつ信頼性の高い位置決めおよび固定を可能にする。
【００９１】
船体インサート２４の内面２６の平面性欠陥を補うために、修正ストリップ２８が、閉鎖ブロック２０と船体インサート２４との間、すなわち、閉鎖ブロック２０の外面２７と船体インサート２４の内面２６との間に挿入される。これらのストリップは、閉鎖ブロックに平面固定面を提供する機能を持つ。したがって、これらの修正ストリップ２８は、閉鎖ブロック２０の平面固定面を共同で形成するために、１つの同じ基準面２９に位置する内面を持たなければならない。
【００９２】
修正ストリップ２８は、樹脂のビード３０を有する。そのような樹脂のビード３０は、例えば、支持構造体１の壁２、３、４、５、６にタンク壁を固定する間、支持構造体１の平面性欠陥を補うために使用されるストリップの製造に使用される。これらの樹脂のビード３０は、例えばマスチックで作られている。
【００９３】
ただし、タンクの壁はすでに支持構造体１の壁２、３、４、５、６に固定されているため、支持構造体１の壁２、３、４、５、６の平面性欠陥を補うためのストリップに必要な樹脂の製造に使用された機械は、支持構造体１の内部空間にはもう存在しない。したがって、修正ストリップ２８用の樹脂のビード３０を製造するための樹脂は、タンクの外で製造され、樹脂のビード３０を製造し、それらを船体インサート２４と閉鎖ブロック２０との間に設置するために、タンクに導入される。
【００９４】
タンクの外で樹脂を製造し、樹脂のビード３０をその設置場所で製造するため送達することにより、前述の樹脂のビード３０の設置時間は増加する。樹脂のビード３０の設置時間におけるこの増加は、そのような樹脂のビード３０がその特性が劣化する前に周囲空気への最大曝露時間を有するので不利である。
【００９５】
樹脂のビード３０を次々に製造および設置し、それらの周囲空気への曝露時間を制限するため、間隔パターンを確立するように表面２６の平面性の測定値が取られる。この間隔パターンは、各修正ストリップ２８に提供される位置に沿って、船体インサート２４の内面２６と基準面２９との間の距離３１を定義する。したがって、この間隔パターンは、その位置に応じて各修正ストリップ２８の厚さを寸法決定することを可能にする。
【００９６】
間隔パターンを実現しやすくするために、基準ストリップ３２（図１２を参照）を船体インサート２４の内面２６に配置することができる。そのような基準ストリップ３は、例えば、両面接着テープ、接着剤、または任意の他の固定手段によって内面２６に固定される。これらの基準ストリップ３２は、基準面２９内に位置する内面を有し、例えば合板などで作られている。これらの基準ストリップ３２は、前述の修正ストリップ２８の位置決めを妨害しないように、修正ストリップ２８に提供される位置とは異なる位置で、船体インサート２４の内面２６に設置される。
【００９７】
図８から図１１は、液体ドーム７でタンクを組み立てる異なるモードに関する、修正ストリップ２８の異なる実施形態を示している。
【００９８】
図８および図９に示される第１の変形によれば、修正ストリップ２８は、樹脂のビード３０のみの助けを借りて製造される。樹脂のビード３０は、船体インサート２４の表面２６の平面性の測定値、すなわち間隔パターンに応じて寸法決定される。したがって、樹脂のビード３０は、船体インサート２４の内面２６上のそれらの位置、およびこの位置での前述の内面２６と基準面２９との間の距離３１に応じて決定される厚さを有する。樹脂のビード３０はそれぞれ、間隔パターンに従って決定された寸法で、閉鎖ブロック２０の外面２７上に直接製造される。したがって、樹脂のビード３０は、閉鎖ブロック２０の外面２７上に次々に実現することができる。
【００９９】
樹脂のビード３０の厚さは、間隔パターンに応じて寸法決定されるので、前述の樹脂のビード３０と船体インサート２４の内面２６との間の距離３３は均一であり、樹脂のビード３０の厚さの違いは、船体インサート２４の平面性欠陥を埋めることが可能である。したがって、閉鎖ブロック２０が船体インサート２４の内面２６に向けて引き上げられると、樹脂のビード３０は、内面２６の平面性の欠陥にもかかわらず、実質的に同時に前述の内面２６に押し付けられる。これらの樹脂のビード３０は、閉鎖ブロック２０を船体インサート２４に向けて引き上げる間に圧縮および均一な変形を受ける可能性があり、接着によって閉鎖ブロック２０を船体インサート２４に対して固定することを可能にする。この圧縮状態では、樹脂のビード３０の内面は、基準面２９内に位置している。
【０１００】
図１０および図１１は、修正ストリップ２８の実施形態の変形を示している。この変形では、各修正ストリップ２８は、バテン３４に関連付けられた樹脂のビード３０を有する。そのようなバテン３４は、例えば合板で作られている。この変形では、バテン３４は、船体インサート２４の内面２６の平面性欠陥を補うために、間隔パターンに応じて寸法決定されている。それらの部分の樹脂のビード３０は、均一な厚さを有する。
【０１０１】
均一な厚さのそのような樹脂のビード３０は、前述の樹脂のビード３０の厚さを調整するためにそれらを製造するための工具を変更する必要がないので、製造が迅速である。したがって、前述の装置は、均一な厚さの連続した樹脂のビード３０を製造することができ、これは、修正ストリップ２８のバテン３４に関連付けられる樹脂のビード３０の所望の長さに応じて連続的に切断される。そのような装置は、例えば、塗布オリフィスまたは空気式または電気式樹脂ノズルを有する樹脂ポーチである。
【０１０２】
図１０は、そのような修正ストリップ２８を組み立てる第１のモードを示している。この第１の組み立てモードでは、各修正ストリップ２８は、正しく寸法決定されたバテン３４および対応する樹脂のビード３０を組み立てることによってプレハブ式に作製される。次に、各プレハブ式修正ストリップ２８は、タンクの貯蔵空間内の閉鎖ブロック２０の外面２７に固定される。より具体的には、バテン３４は、樹脂のビード３０がバテン３４と船体インサート２４の内面２６との間に挿入されるように、閉鎖ブロック２０の外面２７に固定されている。バテン３４は、例えば、閉鎖ブロック３０の外面２７にステープルで留められる。バテン３４の適合された寸法決定のために、樹脂のビード３０と船体インサート２４の内面２６との間の距離３３は、前述の内面２６の平面性欠陥にもかかわらず、均一である。
【０１０３】
修正ストリップ２８が閉鎖ブロック２０の外面２７に固定されると、閉鎖ブロック２０は、上記のように船体インサート２４に向けて引き上げることができる。樹脂のビード３０は、バテン３４と船体インサート２４の内面２６との間で均一に圧縮および変形することができ、閉鎖ブロック２０を船体インサート２４に固定するための接着剤として機能する。
【０１０４】
この第１の組み立てモードの変形によれば、バテン３４はプレハブ式ではなく、タンクの貯蔵空間に直接組み立てられる。最初に、正しく寸法決定されたバテン３４が製造され、タンクの貯蔵空間で静止する閉鎖ブロック２０の外面２７に固定される。バテン３４は、例えば、２０ｃｍ以下のステープル間隔で、例えば、閉鎖ブロックの外面２７にステープルで留められる。バテン３４が閉鎖ブロック２０に正しく固定されると、樹脂のビード３０は、バテン３４の外面３５上に製造されるか、またはバテン３４の前述の外面３５、すなわち、船体インサート２４の内面２６の反対側のバテン３４の面に取り付けられる。
【０１０５】
第１の組み立てモードのこの変形は、閉鎖ブロック２０が船体インサート２４に向けて引き上げられることなく、樹脂のビード３０が製造される期間をさらに短縮することを可能にする。具体的には、樹脂のビード３０は次々に製造され、バテン３４を閉鎖ブロック２０の外面２７に固定するステップ中に樹脂のビードが周囲空気と接触したままにならないように、閉鎖ブロック２０にすでに固定されているバテン３４上に直接配置される。
【０１０６】
図１１は、修正ストリップ２８が閉鎖ブロック２０に固定されておらず、船体インサート２４の内面２６に直接固定されているという点で他の組み立てモードとは異なる第２の組み立てモードを示している。したがって、修正ストリップ２８は、次々にプレハブ式に作製され、その後、船体インサート２４の内面２６に固定される。修正ストリップ２８はまた、例えば、樹脂のビード３０を変形させ、バテン３４の内面が基準面２９内にあることを確実にするために、テンプレートによって圧縮され得る。
【０１０７】
タンクの組み立てを容易にするために、有利なことには、修正ストリップ２８をタンクの外側の船体インサート２４に固定することができる。したがって、液体ドーム７の壁８、９、１０に取り付けられた船体インサート２４は、船体インサート２４が液体ドーム７の壁８、９、１０に固定されるとすぐに、閉鎖ブロック２０が船体インサート２４の方向に直接引き上げることができるように、その内面２６に固定された修正ストリップ２８をすでに有する。閉鎖ブロック２０は、船体インサート２４に固定された修正ストリップ２８のバテン３４と接触するまで、船体インサート２４の方向に引き上げられる。
【０１０８】
修正ストリップ２８の船体インサート２４への事前の固定は、図８および図９を参照して上述した通り、樹脂のビード３０に関連付けられたバテン３４を有するか、または間隔パターンに従って寸法決定された樹脂のビード３０のみを有する修正ストリップ２８を用いて実現することができる。
【０１０９】
図１２は、船体インサート２４に固定された閉鎖ブロック２０を示している。この図では、タイロッド３５が船体インサート２４と閉鎖ブロック２０との間に設置されている。これらのタイロッド３５は、船体インサート２４が液体ドーム７の壁８、９、１０に設置されているときに、船体インサート２４に向けて閉鎖ブロック２０を引き上げることを可能にする。そのようなタイロッド３５は、船体インサート２４および閉鎖ブロック２０を貫通するロッド３６を有する。図示されていない実施形態では、タイロッド３５は、ロッド３６の代わりにチェーンを有する。
【０１１０】
前述のロッド３６の上端は、支持構造体１の内部空間の外側に配置された第１のロック部材３７を支持する。この第１のロック部材３７は、例えば、ロッド３６のねじ付き上端にねじ込まれたナットである。この第１のロック部材３７は、船体インサート２４の外面３８に隣接しており、前述の外面３８は、閉鎖ブロック２０が固定されている内面２６とは反対側にある。
【０１１１】
同様に、ロッド３６の下端は、閉鎖ブロック２０の内面４０に対して配置された第２のロック部材３９を支持する。この第２のロック部材３９は、例えば、前述の閉鎖ブロック２０の内面４０に対して隣接するかしめナットである。そのようなタイロッド３５は、閉鎖ブロック２０を、タンクの貯蔵空間内の保持部材２１に重みがかかる静止位置から、船体インサート２４に固定された位置まで、すなわち、基準面２９内に位置する閉鎖ブロック２０の外面２７まで引き上げることを可能にする。シーリング膜の密閉はまた、タイロッド３５および前述のシーリング膜を密閉することによって、閉鎖ブロックが船体インサート２４に対して所定の位置にあるときに完了することができる。同様に、第１のロック部材３６は、船体インサート２４に溶接することができる。
【０１１２】
別の実施形態では、タイロッドを使用して、樹脂のビード３０の乾燥期間、例えば約２４時間、閉鎖ブロック２０を定位置に維持し、その後、閉鎖ブロック２０を船体インサート２４に固定するため適切な固定部材と交換される。
【０１１３】
有利なことには、基準面２９を規定するために船体インサート２４の内面２６に設置された基準ストリップ３２はまた、閉鎖ブロック２０の上昇を遮断することを可能にする。具体的には、閉鎖ブロック２０を船体インサート２４に向けて引き上げることにより、樹脂のビード３０が船体インサート２４の内面２６に対して押し付けられる。しかしながら、前述の樹脂のビード３０の変形により、前述の閉鎖ブロック２０の外面２７が基準面２９に到達したときに、閉鎖ブロック２０の上昇を確実に阻止できるようにはならない。基準ストリップ３２は、ストッパとして機能し、前述の閉鎖ブロック２０の外面２７が基準面２９に到達したときに、閉鎖ブロック２０の上昇を遮断する。
【０１１４】
密閉された断熱タンクを組み立てるための上記の技術は、例えば、陸上施設またはメタン運搬船等などの浮体式構造物でＬＮＧリザーバの密閉された断熱タンクを形成するようにさまざまなタイプのリザーバで使用できる。
【０１１５】
図１３を参照すると、メタン運搬船７０の断面図は、船の二重船殻７２に取り付けられた全体的に角柱形状の密閉され、断熱されたタンク７１を示している。タンク７１の壁は、タンクに含有されるＬＮＧと接触することを目的とした一次密閉バリア、一次密閉バリアと船の二重船殻７２との間に配置された二次密閉バリア、ならびに一次密閉バリアと二次密閉バリアの間および二次密閉バリアと二重船殻７２の間それぞれに配置された２つの断熱バリアを有する。
【０１１６】
それ自体が知られている方法で、船の上甲板に配置されたロード／オフロードパイプライン７３は、ＬＮＧ貨物をタンク７１との間で移送するために、適切なコネクタによって海上または港湾ターミナルに連結することができる。
【０１１７】
図１３は、ロード・オフロードステーション７５、水中パイプ７６、および陸上施設７７を有する海上ターミナルの例を示している。ロード・オフロードステーション７５は、可動アーム７４および可動アーム７４を支持するタワー７８を有する固定された沖合施設である。可動アーム７４は、ロード／オフロードパイプライン７３に連結することができる断熱された可撓性パイプ７９の束を支える。配向可能な可動アーム７４は、あらゆるサイズのメタン運搬船に適応可能である。連結パイプ（図示せず）は、タワー７８の内側に延在する。ロード・オフロードステーション７５は、陸上施設７７との間のメタン運搬船７０のロードおよびメタン運搬船７０からのオフロードを可能にする。陸上施設７７は、液化ガス８０を貯蔵するためのタンクと、水中パイプ７６によってロードまたはオフロードステーション７５に連結されたパイプ８１を連結するためのタンクを有する。水中パイプ７６は、ロードまたはオフロードステーション７５と陸上施設７７との間の長距離にわたる、例えば５ｋｍの液化ガスの移送を可能にし、メタン運搬船７０をロード・オフロード動作中に沿岸から離れたままにしておくことができる。
【０１１８】
液化ガスの移送に必要な圧力を発生させるために、船７０に搭載されたポンプおよび／または陸上施設７７に装備されたポンプおよび／またはロード・オフロードステーション７５に装備されたポンプが使用される。
【０１１９】
本発明は、いくつかの特定の実施形態に関連して説明されてきたが、それが決してそれらに限定されず、これらが本発明の範囲内にある場合、説明された手段およびそれらの組み合わせのすべての技術的同等物を包含することは明らかである。
【０１２０】
動詞「有する（ｈａｖｅ）」、「備える（ｃｏｍｐｒｉｓｅ）」または「含む（ｉｎｃｌｕｄｅ）」およびそれらの活用形の使用は、クレームに記載されているもの以外の他の要素または他のステップの存在を除外するものではない。要素またはステップに対する不定冠詞「１つの（ａ）」または「１つの（ａｎ）」の使用は、特に明記しない限り、複数のそのような要素またはステップの存在を除外するものではない。
【０１２１】
特許請求の範囲において、括弧内の参照符号はクレームを制限するものとして解釈されるべきではない。
【図１】
2021529132.tif 000003
【図２】
2021529132.tif 000004
【図３】
2021529132.tif 000005
【図４】
2021529132.tif 000006
【図５】
2021529132.tif 000007
【図６】
2021529132.tif 000008
【図７】
2021529132.tif 000009
【図８】
2021529132.tif 000010
【図９】
2021529132.tif 000011
【図１０】
2021529132.tif 000012
【図１１】
2021529132.tif 000013
【図１２】
2021529132.tif 000014
【図１３】
2021529132.tif 000015
【国際調査報告】
2021529132.tif 000016
2021529132.tif 000017
2021529132.tif 000018
2021529132.tif 000019